(57)【特許請求の範囲】
【請求項１】
回転楕円面形状をした反射面を有する反射鏡と、
前記反射鏡内において、当該反射鏡の光軸と直交する平面上に配された複数のＬＥＤと、
前記複数のＬＥＤを点灯するための点灯回路と、
を有し、
前記複数のＬＥＤは、前記光軸から第１の距離にある第１のグループと第１の距離よりも長い第２の距離にある第２のグループの少なくとも二つのグループに分かれており、
前記点灯回路による点灯中、第１のグループに属するＬＥＤ１個当たりの光束の方が第２のグループに属するＬＥＤ１個当たりの光束よりも多いことを特徴とする反射鏡付きＬＥＤランプ。
【請求項２】
前記第１のグループに属するＬＥＤは前記光軸と交差する位置に配された一のＬＥＤであり、前記第２のグループに属するＬＥＤは前記光軸を中心とする円周上に在って、当該光軸を中心に対称に配されていることを特徴とする請求項１に記載の反射鏡付きＬＥＤランプ。
【請求項３】
前記反射鏡は、開口径が４０ｍｍサイズの反射鏡であり、
前記第２のグループは、４個のＬＥＤが直径４ｍｍの円周上に配されて構成され、
第１のグループの前記一のＬＥＤが、第２のグループの各ＬＥＤの少なくとも２倍の光束で点灯されることを特徴とする請求項２に記載の反射鏡付きＬＥＤランプ。
【請求項４】
前記第１のグループに属するＬＥＤと前記第２のグループに属するＬＥＤは、前記光軸を中心とする同心円周上に在って、当該光軸を中心に対称に配されていることを特徴とする請求項１に記載の反射鏡付きＬＥＤランプ。
【請求項５】
前記反射鏡は、開口径が４０ｍｍサイズの反射鏡であり、
前記第１のグループは４個のＬＥＤが、直径２.８ｍｍの円周上に配されて構成され、前記第２のグループは８個のＬＥＤが直径６.３ｍｍの円周上に配されて構成されていて、
第１のグループの各ＬＥＤが、第２のグループの各ＬＥＤの少なくとも２倍の光束で点灯されることを特徴とする請求項４に記載の反射鏡付きＬＥＤランプ。
【発明の詳細な説明】
【技術分野】
【０００１】
本発明は、反射鏡付きＬＥＤランプに関し、特に、反射鏡付きハロゲン電球の代替として好適な反射鏡付きＬＥＤランプに関する。
【背景技術】
【０００２】
反射鏡付きハロゲン電球は、例えば、反射面が回転楕円面形状をした反射鏡とハロゲン電球とを組み合わせてなるものであり、店舗や美術館などのスポット照明として使用されている。
【０００３】
ところで、寿命による交換頻度を低減すると共に省電力化を図るため、ハロゲン電球よりも長寿命で消費電力の少ないＬＥＤ（発光ダイオード）と反射鏡とを組み合わせてなる反射鏡付きＬＥＤランプが検討されている。
【先行技術文献】
【特許文献】
【０００４】
【特許文献１】特開２００７−４１４６７号公報
【発明の概要】
【発明が解決しようとする課題】
【０００５】
しかしながら、近年のＬＥＤの高輝度化にはめざましいものがあるものの、それでもＬＥＤ１個の明るさはハロゲン電球と比較して格段に低い。そこで、本願の発明者らはＬＥＤを複数個用いた反射鏡付きＬＥＤランプを検討した。
【０００６】
ところが、検討の結果、反射鏡内に単に複数個のＬＥＤを配してランプを構成した場合、良好なスポット光が得られないことがわかった。
本発明は、上記した課題に鑑み、単に複数個のＬＥＤを配してランプを構成した場合よりも良好なスポット光の得られる反射鏡付きＬＥＤランプを提供することを目的とする。
【課題を解決するための手段】
【０００７】
上記の目的を達成するため、本発明に係る反射鏡付きＬＥＤランプは、回転楕円面形状をした反射面を有する反射鏡と、前記反射鏡内において、当該反射鏡の光軸と直交する平面上に配された複数のＬＥＤと、前記複数のＬＥＤを点灯するための点灯回路とを有し、前記複数のＬＥＤは、前記光軸から第１の距離にある第１のグループと第１の距離よりも長い第２の距離にある第２のグループの少なくとも二つのグループに分かれており、前記点灯回路による点灯中、第１のグループに属するＬＥＤ１個当たりの光束の方が第２のグループに属するＬＥＤ１個当たりの光束よりも多いことを特徴とする。
【０００８】
また、前記第１のグループに属するＬＥＤは前記光軸と交差する位置に配された一のＬＥＤであり、前記第２のグループに属するＬＥＤは前記光軸を中心とする円周上に在って、当該光軸を中心に対称に配されていることを特徴とする。
【０００９】
この場合に、前記反射鏡は、開口径が４０ｍｍサイズの反射鏡であり、前記第２のグループは、４個のＬＥＤが直径４ｍｍの円周上に配されて構成され、第１のグループの前記一のＬＥＤが、第２のグループの各ＬＥＤの少なくとも２倍の光束で点灯されることを特徴とする。
【００１０】
あるいは、前記第１のグループに属するＬＥＤと前記第２のグループに属するＬＥＤは、前記光軸を中心とする同心円周上に在って、当該光軸を中心に対称に配されていることを特徴とする。
【００１１】
この場合に、前記反射鏡は、開口径が４０ｍｍサイズの反射鏡であり、前記第１のグループは４個のＬＥＤが、直径２.８ｍｍの円周上に配されて構成され、前記第２のグループは８個のＬＥＤが直径６.３ｍｍの円周上に配されて構成されていて、第１のグループの各ＬＥＤが、第２のグループの各ＬＥＤの少なくとも２倍の光束で点灯されることを特徴とする。
【発明の効果】
【００１２】
本発明に係る反射鏡付きＬＥＤランプによれば、反射鏡の光軸と直交する平面上に配された複数のＬＥＤが、光軸から第１の距離にある第１のグループと第１の距離よりも長い第２の距離にある第２のグループの少なくとも二つのグループに分かれており、点灯中、第１のグループに属するＬＥＤ１個当たりの光束の方が第２グループに属するＬＥＤ１個当たりの光束よりも多いので、仮に前記複数のＬＥＤの全てを単に同じ光束で点灯させたと仮定した場合と比較して、光軸上により多くの光束が集中することとなるため、反射鏡による集光性が向上し、その結果、前記仮定した場合よりも良好なスポット光を得ることができる。
【図面の簡単な説明】
【００１３】
【図１】実施の形態１に係る反射鏡付きＬＥＤ電球の概略構成を示す縦断面図である。
【図２】（ａ）は、図１におけるＡ・Ａ線断面図であり、（ｂ）は、ＬＥＤモジュールの拡大平面図である。
【図３】点灯回路ユニットのブロック図である。
【図４】実施の形態１および比較例における（ａ）は、配光特性調査における各ＬＥＤの光束の条件を示し、（ｂ）は、当該調査結果の一部を示している。
【図５】上記調査結果の一部である配光曲線を示している。
【図６】実施の形態２に係る反射鏡付きＬＥＤ電球のＬＥＤモジュールの拡大平面図である。
【図７】実施の形態２および比較例における（ａ）は、配光特性調査における各ＬＥＤの光束の条件を示し、（ｂ）は、当該調査結果の一部を示している。
【図８】上記調査結果の一部である配光曲線を示している。
【発明を実施するための形態】
【００１４】
以下、本発明に係る反射鏡付きＬＥＤランプの実施の形態の形態について、反射鏡付きＬＥＤ電球を例に図面を参照しながら説明する。ここで、ＬＥＤ電球とは、後述するような口金を有し、反射鏡付きハロゲン電球用のソケットにそのまま装着して使用できるものを言う。
＜実施の形態１＞
図１は、実施の形態１に係る反射鏡付きＬＥＤ電球１０の概略構成を示す縦断面図である。なお、図１において、後述する回路基板３０、実装基板４２およびこれらの基板への実装部品については切断していない。
【００１５】
反射鏡付きＬＥＤ電球１０は、口金１２、点灯回路ユニット１４、ヒートシンク１６、反射鏡１８、前面ガラス２０、ＬＥＤモジュール２２等で構成される。
口金１２は、電気絶縁材料からなる本体部１４を有する。本体部１４の一端部部分は略円筒形に形成されており、当該円筒部分にシェル２６が嵌めこまれている。また、円筒部分の一端部側は略円錐台形に形成されており、当該円錐台の頂部には、アイレット２８が固着されている。
【００１６】
本体部２４のアイレット２８が設けられているのと反対側は、アイレット２８から遠ざかる程径が大きくなる中空形状に形成されていて、当該中空部内に点灯回路ユニット１４の一部が収納されている。
【００１７】
点灯回路ユニット１４は、回路基板３０と回路基板３０に実装された複数の電子部品３２とからなる。点灯回路ユニット１４とアイレット２８とは第１リード線３４で、点灯回路ユニット１４とシェル２６とは第２リード線３６でそれぞれ電気的に接続されている。点灯回路ユニット１４は、アイレット２８およびシェル２６並びに第１リード線３４および第２リード線３６を介して供給される商用交流電力を、ＬＥＤモジュール２２を点灯させるための電力に変換して、ＬＥＤモジュール２２に給電する。点灯回路ユニット１４の構成については後述する。
【００１８】
ヒートシンク１６は、円筒部１６Ａを有し円筒部１６Ａの半分が本体部２４の前記中空部に嵌めこまれている。円筒部１６Ａ内には、有底円筒部１６Ｂが設けられており有底円筒部１６Ｂと円筒部１６Ａとは、有底円筒部１６Ｂの開口部から延設されたフランジ部１６Ｃによって一体となっている。ヒートシンク１６はアルミニウムからなり、ダイキャストまたはロストワックスなどにより全体が一体的に成型される。
【００１９】
反射鏡１８は、ホウ珪酸ガラスからなり、漏斗状をしたガラス基体３８を有する。ガラス基体３８において回転楕円面に形成された凹面部分３８Ａには、反射面を構成する多層干渉膜４０が形成されている。多層干渉膜４０は、アルミニウムやクロム等の金属膜の他、二酸化ケイ素（ＳｉＯ２）、二酸化チタン（ＴｉＯ２）、フッ化マグネシウム（ＭｇＦ２）、硫化亜鉛（ＺｎＳ）等で形成することができ、これにより、高反射率の反射面が構成される。反射鏡１８は、開口径（ミラー内径）が４０ｍｍサイズのものである。４０ｍｍサイズと言うのは、開口径が３８ｍｍ〜４２ｍｍの範囲であるものを言う。また、反射鏡１８は、いわゆる狭角の反射鏡であり、反射鏡付きハロゲン電球において、ビームの開き（ビーム角）が、１０度±２５％（＝７.５度〜１２.５度）のものである。以下、この「１０度±２５％」の範囲を「基準ビーム角」と言う。なお、反射面には必要に応じてファセットを形成してもよい。
【００２０】
反射鏡１８は、そのネック部３８Ｂがヒートシンク１６の円筒部１６Ａ上部に嵌めこまれている。
また、反射鏡１８の開口部には、前面ガラス２０が接着剤で固着されている。
【００２１】
ヒートシンク１６の有底円筒部１６Ｂの外底には、ＬＥＤモジュール２２が取り付けられている。図１におけるＡ・Ａ線断面図を図２（ａ）に示す。
ＬＥＤモジュール２２は、実装基板４２と複数個の（本例では、５個）の白色ＬＥＤ４４，４６，４８，５０，５２とを有する。実装基板４２は、円形の絶縁板５４と絶縁板５４の上面に形成された配線パターン（不図示）とからなり、反射鏡１８の光軸Ｘ（図１）と直交する実装面を有する。白色ＬＥＤ４４，４６，４８，５０，５２は、当該実装面に実装されている。
【００２２】
白色ＬＥＤ４４，４６，４８，５０，５２は、いずれも同じ構成、同じ大きさであり、例えばＬＥＤチップ（不図示）と当該ＬＥＤチップを封止する蛍光体分散樹脂とからなる（図面に現れている正方形が蛍光体分散樹脂の輪郭である。）。ＬＥＤチップには、例えば、青色発光するものが用いられる。蛍光体分散樹脂の樹脂には、例えば、シリコーン樹脂を用いることができる。また分散する蛍光体粉末としては、例えば、(Ｂａ,Ｓｒ)2ＳｉＯ4:Ｅｕ2+やＹ3(Ａｌ,Ｇａ)5Ｏ12:Ｃｅ3＋の黄緑色蛍光体粉末とＳｒ2Ｓｉ5Ｎ8:Ｅｕ2+や（Ｃａ,Ｓｒ）Ｓ:Ｅｕ2+などの赤色蛍光体粉末を用いることができる。ＬＥＤチップが発光すると、ＬＥＤチップから放出される青色光は、各蛍光体で一部が吸収され黄緑色光や赤色光に変換される。青色光と黄緑色光と赤色光が合成されて白色光となり、蛍光体分散樹脂から放出される。白色ＬＥＤ４４，４６，４８，５０，５２は、図２（ａ）に示す平面視で１ｍｍ角の大きさを有する（すなわち、蛍光体分散樹脂の外形が１ｍｍ角である。）。
【００２３】
図１に戻り、白色ＬＥＤ４４，４６，４８，５０，５２の光軸Ｘ方向の位置は、ＬＥＤ４４，４６，４８，５０，５２の主な光出射面である上面が、反射鏡１８の焦点ｆの位置から焦点ｆよりも後方（焦点ｆよりも口金１２寄りの方向）、多層干渉膜４０で構成される反射面の端部までの範囲内に入る位置に設定される。これは、焦点ｆよりも前方に配置するとビーム角が広くなりすぎ、反射面の端部よりも後方に配置すると反射鏡（反射面）で反射される光量が少なくなるためである。上記範囲内でもさらに好ましくは、焦点ｆの位置またはその近傍（光軸Ｘと平行に測った距離Ｌ＝０.０〜１.５ｍｍの範囲）である。本例では、光軸Ｘと平行に測った距離Ｌ＝０.８ｍｍの位置に各白色ＬＥＤ４４，４６，４８，５０，５２が配されている。
【００２４】
図２（ｂ）にＬＥＤモジュール２２の拡大図を示す。５個の白色ＬＥＤの内、白色ＬＥＤ４４が光軸Ｘと交差する位置に設けられている。
残りの白色ＬＥＤ４６，４８，５０，５２は光軸Ｘを中心とする円Ｃの周上に在って、光軸Ｘを中心に対称に配されている（本例では、光軸Ｘを中心に円Ｃの周上、等角度間隔で配されている。）。円Ｃの直径は４ｍｍである。すなわち、白色ＬＥＤ４６，４８，５０，５２は、中央の白色ＬＥＤ４４に１ｍｍの間隔をあけて配されている。
【００２５】
ここで、白色ＬＥＤ４６，４８，５０，５２は、配線パターン（不図示）によって直列に接続されており、中心の白色ＬＥＤ４４とは独立に点灯される。すなわち、５個の白色ＬＥＤは、第１グループ（白色ＬＥＤ４４）と第２グループ（白色ＬＥＤ４６，４８，５０，５２）とに分かれていて、グループ別に点灯される。第１グループは、第３リード線５６および第４リード線５８で、第２グループは、第５リード線６０および第６リード線６２で、それぞれ点灯回路ユニット１４と電気的に接続されている。
【００２６】
図３に、点灯回路ユニット１４のブロック図を示す。点灯回路ユニット１４はＡＣ/ＤＣコンバーター６４、第１定電流回路６６、および第２定電流回路６８を有する。ＡＣ/ＤＣコンバーター６４は、商用交流電源ＡＣからの交流電力を直流電力に変換する。第１定電流回路６６は、前記直流電力から一定の電流を第１グループ７０に供給する。第２定電流回路６８は、前記直流電力から一定の電流を第２グループ７２に供給する。ここで、第１定電流回路６６が供給する電流の方が、第２定電流回路６８が供給する電流よりも大きくなっており、その結果、点灯中における、第１グループ７０の白色ＬＥＤ４４の方が第２グループ７２の白色ＬＥＤ４６，４８，５０，５２の各々よりも光束が多くなっている。
【００２７】
本願の発明者らは、白色ＬＥＤ１個当たりの光束［ｌｍ］を第１グループ７０と第２グループ７２とで、図４（ａ）に示すように組み合わせたものにつき、反射鏡付きＬＥＤ電球から距離１[ｍ]離れた照射面における配光特性（配光曲線）について調査した。
【００２８】
比較例１は、全ての白色ＬＥＤの光束を６０［ｌｍ］に設定したものである。実施例１−１〜１−３は、第１グループ７０の白色ＬＥＤの光束を第２グループ７２の各白色ＬＥＤの光束よりも多くしたものである。すなわち、第１グループ７０の白色ＬＥＤに対する第２グループ７２の各白色ＬＥＤの光束の比が、実施例１−１では２に、実施例１−２では４に、実施例１−３では８にそれぞれ設定されている。
【００２９】
なお、比較例１、実施例１−１〜１−３のいずれも５個の白色ＬＥＤの光束の合計は３００［ｌｍ］である。各組み合わせ共、３００［ｌｍ］に統一したのは、投入電力［Ｗ］を同じにするためである。
【００３０】
調査結果（配光曲線）を図５に、各組み合わせにおける最大光度［ｃｄ］とビームの開き（ビーム角）［度］を図４（ｂ）に示す。
図５より、比較例１よりも実施例の方が、配光曲線が先鋭になっていて、より良好なスポット光が得られることが分かる。
【００３１】
比較例１は、ビーム角が１２.８度と、上記反射鏡付きハロゲン電球の基準ビーム角の上限である１２.５度を上回っているため（図４（ｂ））、当該ハロゲン電球の代替としては好ましくない。これに対し、実施例１−１では、ビーム角が９.８度と、基準ビーム角の範囲内であり、反射鏡付きハロゲン電球の代替として好適に使用できる。
【００３２】
このように、光軸Ｘと交差する位置に配された白色ＬＥＤ４４（第１グループ７０）の光束をその周囲に配された各白色ＬＥＤ４６，４８，５０，５２（第２グループ７２）の光束よりも多くすることにより、５個の白色ＬＥＤ全てを同じ光束で点灯させた場合（比較例１）よりもビーム角を狭くできることが分かる。
【００３３】
また、実施例１−２、実施例１−３（図４（ａ））に示すように、第１グループ７０と第２グループ７２の白色ＬＥＤの光束の差を大きくすれば、さらにビーム角が狭くなり（図４（ｂ））、良好なスポット光が得られることが分かる。
【００３４】
この場合に、第１グループ７０の白色ＬＥＤ４４を、第２グループ７２の各白色ＬＥＤ４６，４８，５０，５２の少なくとも２倍の光束で点灯することにより、ビーム角が基準ビーム角の範囲に納まることが分かる。
＜実施の形態２＞
実施の形態２に係る反射鏡付きＬＥＤ電球は、白色ＬＥＤの個数およびその配列が異なる以外は、実施の形態１の反射鏡付きＬＥＤ電球１０と基本的に同様の構成である。よって、以下異なる部分を中心に説明する。
【００３５】
図６に、実施の形態２に係る反射鏡付きＬＥＤ電球のＬＥＤモジュール７４の平面図を示す。
ＬＥＤモジュール７４は、白色ＬＥＤを１２個有し、その内４個の白色ＬＥＤ７６，７８，８０，８２が光軸Ｘを中心とする円Ｃ１の周上に等角度間隔で配されていて、第グループを構成している。残り８個の白色ＬＥＤ８４，８６，８８，９０，９２，９４，９６，９８は、光軸Ｘを中心とし円Ｃ１よりも大きい円Ｃ２の周上に等角度間隔で配されていて、第２グループを構成している。なお、各白色ＬＥＤの構成および大きさは、実施の形態１のものと同じである。１２個の白色ＬＥＤは、１ｍｍの間隔をあけて、図６に示すようにマトリックス状に配されている。したがって、円Ｃ１の直径は、２√２（＝２.８）［ｍｍ］であり、円Ｃ２の直径は、２√１０（＝６.３）［ｍｍ］である。
【００３６】
第１グループの白色ＬＥＤ７６，７８，８０，８２は、実装基板１００の配線パターン（不図示）によって直列に接続されており、第２グループの白色ＬＥＤ８４，８６，８８，９０，９２，９４，９６，９８も実装基板の配線パターン（不図示）によって直列に接続されている。
【００３７】
そして、実施の形態１の場合と同様な構成の点灯回路ユニット（すなわち、商用交流電力を直流電力に変換した上で、当該直流電力を２系統に分けて、各グループに供給する点灯回路ユニット）によって、第１グループと第２グループの各白色ＬＥＤが点灯される。
【００３８】
本願の発明者らは、実施の形態１と同様、第１グループの各白色ＬＥＤの光束と第２グループの各白色ＬＥＤの光束の間に差をつけ、その配光特性について調査した。
すなわち、白色ＬＥＤ１個当たりの光束［ｌｍ］を第１グループと第２グループとで、図７（ａ）に示すように組み合わせたものにつき、反射鏡付きＬＥＤ電球から距離１[ｍ]離れた照射面における配光特性（配光曲線）について調査した。
【００３９】
比較例２は、全ての白色ＬＥＤの光束を２５［ｌｍ］に設定したものである。実施例２−１、２−２は、第１グループの各白色ＬＥＤの光束を第２グループの各白色ＬＥＤの光束よりも多くしたものである。すなわち、第１グループの各白色ＬＥＤに対する第２グループの各白色ＬＥＤの光束の比が、実施例２−１では２に、実施例２−２では４にそれぞれ設定されている。
【００４０】
なお、比較例２、実施例２−１、２−２のいずれも１２個の白色ＬＥＤの光束の合計を３００［ｌｍ］とした理由は、実施の形態１と同様である。
調査結果（配光曲線）を図８に、各組み合わせにおける最大光度［ｃｄ］とビームの開き（ビーム角）［度］を図７（ｂ）に示す。
【００４１】
図８より、比較例２よりも実施例の方が、配光曲線が先鋭になっていて、より良好なスポット光が得られることが分かる。
比較例２は、ビーム角が１３.８度と、上記反射鏡付きハロゲン電球の基準ビーム角の上限である１２.５度を上回っているため（図７（ｂ））、当該ハロゲン電球の代替としては好ましくない。これに対し、実施例２−１では、ビーム角が１１.６度と、基準ビーム角の範囲内であり、反射鏡付きハロゲン電球の代替として好適に使用できる。
【００４２】
このように、光軸Ｘを中心とする円Ｃ１の周上に配された各白色ＬＥＤ７６，７８，８０，８２（第１グループ）の光束をその周囲に配された各白色ＬＥＤ８４，８６，８８，９０，９２，９４，９６，９８（第２グループ）の光束よりも多くすることにより、１２個の白色ＬＥＤ全てを同じ光束で点灯させた場合（比較例２）よりもビーム角を狭くできることが分かる。
【００４３】
また、実施例２−１、実施例２−２（図７（ａ））に示すように、第１グループと第２グループの白色ＬＥＤの光束の差を大きくすれば、さらにビーム角が狭くなり（図７（ｂ））、良好なスポット光が得られることが分かる。
【００４４】
この場合に、第１グループの各白色ＬＥＤ７６，７８，８０，８２を、第２グループの各白色ＬＥＤ８４，８６，８８，９０，９２，９４，９６，９８の少なくとも２倍の光束で点灯することにより、ビーム角が基準ビーム角の範囲に納まることが分かる。
【００４５】
以上、本発明に係る反射鏡付きＬＥＤランプを実施の形態に基づいて説明してきたが、本発明は、上記した形態に限らないことは勿論であり、例えば、以下の形態とすることもできる。
（１）上記実施の形態における反射鏡は、ガラス基体と当該ガラス基体の回転楕円面形状をした凹面に形成された多層干渉膜とで構成したが、これに限らず金属で形成することとしても構わない。この場合に、アルミニウムの成型品を用いることにより、当該反射鏡はヒートシンク１６（図１）から伝達される熱をさらに放散させる第２のヒートシンクとしても機能することとなり、ＬＥＤに投入できる電力（電流）をさらに増大することができる。その結果、光度を向上させることが可能となる。
（２）上記実施の形態では、複数個の白色ＬＥＤを第１および第２の二つのグループに分けたが、これに限らず、三つまたはそれ以上のグループに分けても構わない。この場合に、反射鏡の光軸からの距離が近い順に第１のグループ、第２のグループ、第３のグループ、…、第Ｎのグループ（Ｎは２以上の整数）とすると、第（Ｎ−１）のグループの各ＬＥＤの光束を第Ｎのグループの各ＬＥＤの光束よりも多くすることにより、前記複数個のＬＥＤを全て同じ光束で点灯させたときよりも、ビーム角が小さくなるものと考えられる。光軸（反射鏡の焦点）により多くの光束を集中させることにより、反射鏡による集光性が向上すると考えられるからである。
【００４６】
この場合に、各グループ間におけるＬＥＤ１個当たりの光束の差（光束比）を、反射鏡の大きさ、複数個のＬＥＤの配置間隔などに応じて適宜決定することにより、対応する反射鏡付きハロゲン電球と同等またはそれ以上に集光された（ビーム角を有する）スポット光を得ることができる。
（３）ＬＥＤチップの発光色と蛍光体粉末の組み合わせは、上記したものに限らず、所望とする光色に応じて適宜変更しても構わない。すなわち、黄緑色蛍光体粉末と赤色蛍光体粉末の混合割合を変化させたり、使用する蛍光体の種類を変えたり、ＬＥＤチップの種類（発光色）を変えたりすることにより、電球色、温白色、白色、昼白色、昼光色など種々の光色とすることができる。
（４）上記実施の形態では、ＬＥＤとしてＬＥＤチップと蛍光体分散樹脂との組み合わせからなる白色ＬＥＤを用いたが、これに限らず、ＬＥＤはＬＥＤチップのみの構成としても構わない。
【産業上の利用可能性】
【００４７】
本発明に係る反射鏡付きＬＥＤランプは、例えば、店舗や美術館などのスポット照明用の反射鏡付きＬＥＤ電球として好適に利用可能である。
【符号の説明】
【００４８】
１０    反射鏡付きＬＥＤ電球
１４    点灯回路ユニット
１８    反射鏡
４４，４６，４８，５０，５２    白色ＬＥＤ
７０    第１グループ
７２    第２グループ
７６，７８，８０，８２，８４，８６，８８，９０，９２，９４，９６，９８    白色ＬＥＤ
Ｘ    反射鏡の光軸
【図１】
0005438099.tif 000002
【図２】
0005438099.tif 000003
【図３】
0005438099.tif 000004
【図４】
0005438099.tif 000005
【図５】
0005438099.tif 000006
【図６】
0005438099.tif 000007
【図７】
0005438099.tif 000008
【図８】
0005438099.tif 000009